(57)【要約】【課題】外部電源や明るさセンサーがなくても自動で発光可能で、場所を選ばず容易に設置できる照明装置を提供することを目的とする。【解決手段】発光素子１２と、光電変換素子１３と、充電池１４とを有し、光電変換素子１３の出力電力に応じ、周囲が暗い場合は、充電池１４から発光素子１２へ電力を供給して発光素子１２で発光を行い、周囲が明るい場合は、充電池１４への充電を行なうことにより上記課題を解決する。【選択図】図１
2008135253.tif 000002
【特許請求の範囲】
【請求項１】
発光素子と、光電変換素子と、充電池とを有し、前記光電変換素子の出力電力に応じ、周囲が暗い場合は、前記充電池から前記発光素子へ電力を供給して当該発光素子で発光を行い、周囲が明るい場合は、前記充電池への充電を行なうことを特徴とする照明装置。
【請求項２】
請求項１に記載の照明装置において、商用電源に接続可能な商用電源接続部を有し、前記商用電源接続部から電力を前記充電池に充電を行い、停電時には、前記充電池から前記発光素子へ電力を供給して当該発光素子が発光を行なうことを特徴とする照明装置。
【請求項３】
請求項１又は請求項２に記載の照明装置において、熱線検知素子を有し、当該熱線検知素子が、人を検知した場合、前記発光素子が前記発光を行うことを特徴とする照明装置。
【請求項４】
請求項１又は請求項２に記載の照明装置において、位置検知素子を有し、当該位置検知素子が、人、又は、壁面や床面等の上に存在する障害物を検知した場合、前記発光素子が前記発光を行なうことを特徴とする照明装置。
【請求項５】
請求項１乃至請求項４のいずれか一に記載の照明装置において、壁面や幅木等の建築用材料に、予め組み込まれていること、又は、後から容易に組み込むことが可能であることを特徴とする照明装置。
【請求項６】
請求項１に記載の照明装置において、前記光電変換素子の出力電力を監視し、前記光電変換素子の電力が出力されていないとき、前記充電池から前記発光素子へ電力を供給して発光動作を行い、前記光電変換素子の電力が出力されているとき、前記充電池への充電動作を行なうように制御する手段を有し、発光動作と充電動作の自動切り替えを行なうことを特徴とする照明装置。
【発明の詳細な説明】
【技術分野】
【０００１】
本発明は、照明装置に関し、特に、外部電源や明るさセンサーがなくても自動で発光可能で、場所を選ばず容易に設置できる照明装置に関する。
【背景技術】
【０００２】
夜間、住宅内を移動する際の安全確保を目的として、従来から発光機能を持たせた壁面や幅木等の建築用材料に関する技術が開示されている。
【０００３】
例えば、特許文献１や、特許文献２においては、幅木等に電源制御装置によって電源を供給される光源ユニットを設置した足元灯の技術が開示されている。
【０００４】
また、例えば、特許文献３においては、幅木等に取り付ける明るさセンサー付き照明ユニットの技術が開示されている。
【０００５】
さらに、例えば特許文献４においては、導光部材を有する幅木等に光源ユニットを組み合わせた足元照明システムの技術が開示されている。
【特許文献１】特開２００１−３３８５２６号公報
【特許文献２】特開２００２−２７６１４５号公報
【特許文献３】特開２００１−３２５８２８号公報
【特許文献４】特開平１０−９７８０４号公報
【発明の開示】
【発明が解決しようとする課題】
【０００６】
しかしながら上記従来技術の、幅木等に電源制御装置によって電源を供給される光源ユニットを設置した足元灯の技術や、幅木等に取り付ける明るさセンサー付き照明ユニットの技術、導光部材を有する幅木等に光源ユニットを組み合わせた足元照明システムの技術では、何れの場合においても電源制御装置や電源接続部が必要とされるために、電源との接続が取れない場所には基本的に設置することができなかった。また電源との接続が可能な場所であっても、電気工事が必要な場合には電気工事士の資格を持った者でなければ設置工事を行なうことができず、電気工事の不要な場合でも予め設置場所の近くに電源工事がなされていなければならないなど、その設置作業には数々の制約があった。
【０００７】
また、従来の技術では、設置場所の明るさに応じて照明の点滅制御を行なうためには、明るさセンサーを装置に内蔵するか、あるいは明るさセンサーを外部に設置してから装置に接続しなければならなかった。
【０００８】
本発明は、照明装置において、外部電源や明るさセンサーがなくても自動で発光可能で、場所を選ばず容易に設置できる照明装置を提供することを目的とする。
【課題を解決するための手段】
【０００９】
上記目的を達成するため、本発明の照明装置は、発光素子と、光電変換素子と、充電池とを有し、前記光電変換素子の出力電力に応じ、周囲が暗い場合は、前記充電池から前記発光素子へ電力を供給して当該発光素子で発光を行い、周囲が明るい場合は、前記充電池への充電を行なうことを特徴とする。さらに本発明の照明装置は、商用電源に接続可能な商用電源接続部を有し、前記商用電源接続部から電力を前記充電池に充電を行い、停電時には、前記充電池から前記発光素子へ電力を供給して当該発光素子が発光を行なうことを特徴とする。さらに本発明の照明装置は、熱線検知素子を有し、当該熱線検知素子が、人を検知した場合、前記発光素子が前記発光を行うことを特徴とする。さらに本発明の照明装置は、位置検知素子を有し、当該位置検知素子が、人、又は、壁面や床面等の上に存在する障害物を検知した場合、前記発光素子が前記発光を行なうことを特徴とする。さらに本発明の照明装置は、壁面や幅木等の建築用材料に、予め組み込まれていること、又は、後から容易に組み込むことが可能であることを特徴とする。さらに本発明の照明装置は、前記光電変換素子の出力電力を監視し、前記光電変換素子の電力が出力されていないとき、前記充電池から前記発光素子へ電力を供給して発光動作を行い、前記光電変換素子の電力が出力されているとき、前記充電池への充電動作を行なうように制御する手段を有し、発光動作と充電動作の自動切り替えを行なうことを特徴とする。
【発明の効果】
【００１０】
本発明によれば、照明装置において、外部電源や明るさセンサーがなくても自動で発光し、場所を選ばず容易に設置をすることができる。
【発明を実施するための最良の形態】
【００１１】
本発明を実施するための最良の形態を説明する。
【実施例１】
【００１２】
図１は、本発明の照明装置の実施例１の概略を示す概略図である。本発明の実施例１の照明装置は、図１の概略図に示したように、照明装置本体部１１と、発光素子１２と、光電変換素子１３と、充電池１４とによって構成されている。照明装置本体部１１に備えられる発光素子１２、光電変換素子１３、及び充電池１４は複数備えられていても良い。
【００１３】
発光素子１２としては小型で消費電力の少ないものが望ましく、例えばＬＥＤ（発光ダイオード）素子やＥＬ（エレクトロルミネッセンス）素子等を使用することができる。充電池１４としては小型軽量で十分な容量があり、繰り返し充電可能であれば良く、例えばリチウムイオン充電池やニッケル水素充電池等を使用することができる。光電変換素子１３としては小型のものが望ましく、例えば太陽電池等を使用することができる。
【００１４】
照明装置本体部１１の周囲が暗い場合、発光素子１２は充電池１４に蓄えられた電力を使用して発光する。照明装置本体部１１の周囲が明るい場合、光電変換素子１３は周囲の光を電力に変換して充電池１４に蓄える。
【００１５】
本実施例の形態においては、照明装置本体部１１の内部に発電から発光までの機能を有しており、外部電源と接続する必要が無くなる。従って、壁面や幅木等の建築用材料への設置にあたって電源配線工事が不要となるため、設置作業を行なう作業者や設置場所を選ぶ必要が無くなり、誰でもどこにでも容易に取り付けることができる設置性に優れた照明装置とすることができる。
【００１６】
また、本実施例の形態においては、光電変換素子１３の出力する電力に応じて、発光素子１２を使用した発光動作と充電池１４への充電動作とを自動的に切り替える機能を持たせることができる。具体的には光電変換素子１３の出力電力を監視し、電力が出力されていない場合（又は、周囲が暗いと判断される場合の一定レベル以下の出力である場合）には充電池１４から発光素子１２へ電力を供給して発光動作を行い、電力が出力されている場合（又は、周囲が明るいと判断される場合の一定レベル以上の出力である場合）は充電池１４への充電動作を行なうように制御することで、発光動作と充電動作の自動切り替え機能を実現することができる。これにより別途明るさセンサー等を備えることなく照明装置本体部１１の周囲の明るさを検知することが可能であり、周囲が暗くなった時に自動的に発光素子１２を点灯させる自動点灯機能を備えた照明装置とすることができる。
【実施例２】
【００１７】
図２は、本発明の照明装置の実施例２の概略を示す概略図である。本実施例２の照明装置は、図２の概略図に示したように、照明装置本体部２１と、発光素子１２と、光電変換素子１３と、充電池１４と、商用電源接続部２５によって構成されている。照明装置本体部２１に備えられる発光素子１２、光電変換素子１３、及び充電池１４は複数備えられていても良い。なお、発光素子１２と、光電変換素子１３と、充電池１４は実施例１と同様である。
【００１８】
照明装置本体部２１の周囲が暗い場合、発光素子１２は充電池１４に蓄えられた電力を使用して発光する。照明装置本体部２１の周囲が明るい場合、光電変換素子１３は周囲の光を電力に変換して充電池１４に蓄える。
【００１９】
本実施例２の形態においては、実施例１の形態と同様に照明装置本体部２１の内部に発電から発光までの機能を有しているため、設置作業を行なう作業者や設置場所を選ぶ必要が無くなり、誰でもどこにでも容易に取り付けることができる設置性に優れた照明装置とすることができる。
【００２０】
さらに本実施例２の形態においては、照明装置本体部２１を商用電源接続部２５にて商用電源に接続して設置した場合、内蔵の充電池１４を常に充電しておくことが可能となるとともに、商用電源からの入力を監視することにより停電を検知することが可能となるため、停電時に発光素子１２を自動点灯させることで保安灯としての機能を持った照明装置とすることができる。
【実施例３】
【００２１】
図３は、本発明の照明装置の実施例３の概略を示す概略図である。本実施例３の照明装置は、図３の概略図に示したように、照明装置本体部３１と、発光素子１２と、光電変換素子１３と、充電池１４と、熱線検知素子３５によって構成されている。照明装置本体部３１に備えられる発光素子１２、光電変換素子１３、充電池１４、及び熱線検知素子３５は複数備えられていても良い。熱線検知素子３５としては、例えば赤外線センサー等を使用することができる。なお、発光素子１２と、光電変換素子１３と、充電池１４は実施例１と同様である。
【００２２】
照明装置本体部３１の周囲が暗い場合、発光素子１２は充電池１４に蓄えられた電力を使用して発光する。照明装置本体部３１の周囲が明るい場合、光電変換素子１３は周囲の光を電力に変換して充電池１４に蓄える。
【００２３】
本実施例の形態においては、実施例１の形態と同様に照明装置本体部３１の内部に発電から発光までの機能を有しているため、設置作業を行なう作業者や設置場所を選ぶ必要が無くなり、誰でもどこにでも容易に取り付けることができる設置性に優れた照明装置とすることができる。
【００２４】
さらに本実施例の形態においては、熱線検知素子３５を内蔵することで照明装置本体部３１の周囲が暗く、なおかつ付近に人が存在する場合に限って発光素子１２を点灯させる機能を実現できるため、節電になるばかりでなく、夜間の室内移動時の助けとなる照明器具として就寝中の他の人の睡眠を妨げないよう配慮した照明装置とすることができる。
【実施例４】
【００２５】
図４は、本発明の照明装置の実施例４の概略を示す概略図である。本実施例４の照明装置は、図４の概略図に示したように、照明装置本体部４１と、発光素子１２と、光電変換素子１３と、充電池１４と、位置検知素子４５によって構成されている。照明装置本体部４１に備えられる発光素子１２、光電変換素子１３、充電池１４、及び位置検知素子４５は複数備えられていても良い。位置検知素子４５としては、例えばフォトインターラプターや超音波センサー等を使用することができる。なお、発光素子１２と、光電変換素子１３と、充電池１４は実施例１と同様である。
【００２６】
照明装置本体部４１の周囲が暗い場合、発光素子１２は充電池１４に蓄えられた電力を使用して発光する。照明装置本体部４１の周囲が明るい場合、光電変換素子１３は周囲の光を電力に変換して充電池１４に蓄える。
【００２７】
本実施例の形態においては、実施例１の形態と同様に照明装置本体部４１の内部に発電から発光までの機能を有しているため、設置作業を行なう作業者や設置場所を選ぶ必要が無くなり、誰でもどこにでも容易に取り付けることができる設置性に優れた照明装置とすることができる。
【００２８】
さらに本実施例の形態においては、位置検知素子４５を内蔵することで照明装置本体部４１の周囲が暗く、なおかつ付近に人が存在する場合に限って発光素子１２を点灯させる機能を実現できるため、節電になるばかりでなく、夜間の室内移動時の助けとなる照明器具として就寝中の他の人の睡眠を妨げないよう配慮した照明装置とすることができる。
【００２９】
加えて本実施例の形態においては、位置検知素子４５によって壁面や床面等の上に存在する障害物をも検知することが可能なため、人の存在する場合だけでなく障害物が存在する場合にもその障害物周辺の発光素子１２を点灯させることができる。これによって、夜間は障害物周辺については常時発光素子１２を点灯した状態にすることができ、夜間の室内移動時の安全確保に効果的な照明器具とすることができる。
【実施例５】
【００３０】
図５は、本発明の照明装置の実施例５の概略を示す概略図である。本実施例５の照明装置は、図５の概略図に示したように、複数の照明装置本体部５１によって構成されている。図５の例では２個の照明装置本体部５１で構成されているが、設置場所ごとに必要とされる個数の照明装置本体部５１で構成されるべきものである。
【００３１】
照明装置本体部５１の内部については、実施例１〜４の照明装置が適用できる。
【００３２】
本発明による照明装置は、照明装置本体部５１の内部に発電から発光までの機能を有しており、外部電源と接続する必要が無い。このため照明装置本体部５１は、壁面や幅木等の建築用材料へ設置する場合に従来は必要であった電源配線工事が不要となる。これにより設置作業を行なう作業者や設置場所を選ぶ必要が無くなり、誰でもどこにでも容易に取り付けることができる設置性に優れた照明装置とすることができる。
【００３３】
本実施例の形態においては、例えば幅木に照明装置を設置しようとした場合、壁面と床面の境界部に既に設置されている幅木の上から、本発明による照明装置本体部５１を必要な長さの分だけ並べて貼り付けていくだけで作業を完了することができるので、誰にでも設置作業を行なうことが可能となる。また廊下や階段の段差やステップ周辺部、壁面の手摺周辺部などにおいても、同様に本発明による照明装置本体部５１を必要な長さの分だけ並べて貼り付けていくだけで作業を完了することができるので、必要な場所であればどこにでも容易に取り付けることが可能となる。
【図面の簡単な説明】
【００３４】
【図１】本発明の照明装置の実施例１の概略を示す概略図である。
【図２】本発明の照明装置の実施例２の概略を示す概略図である。
【図３】本発明の照明装置の実施例３の概略を示す概略図である。
【図４】本発明の照明装置の実施例４の概略を示す概略図である。
【図５】本発明の照明装置の実施例５の概略を示す概略図である。
【符号の説明】
【００３５】
１１  照明装置本体部（実施例１）
１２  発光素子
１３  光電変換素子
１４  充電池
２１  照明装置本体部（実施例２）
２５  商用電源接続部
３１  照明装置本体部（実施例３）
３５  熱線検知素子
４１  照明装置本体部（実施例４）
４５  位置検知素子
５１  照明装置本体部（実施例５）
【図１】
2008135253.tif 000003
【図２】
2008135253.tif 000004
【図３】
2008135253.tif 000005
【図４】
2008135253.tif 000006
【図５】
2008135253.tif 000007